(57)【要約】  選択された外科手術に用いるためのディスポーザブルな滅菌器具が予め取り付けられたディスポーザブルな外科用滅菌ドレープを提供する。ディスポーザブルな外科用滅菌ドレープは、基本的に、手術台及び手術台上に横たえられた患者を覆うための寸法を有し且つドレープ内に形成された切開開口部を有するドレープと、ドレープの下側に予め取り付けられた、患者に熱を供給するパッドと、切開開口部を取り囲む、ドレープの下側に予め取り付けられた吸収布と、ドレープの上側に予め取り付けられた、ドレープ内の切開開口部のためのカバーと、ドレープに予め取り付けられた、外科手術を達成するために必要な手術器具及び連結チューブ又はワイヤと、を備える。
2008514354.tif 000002
【特許請求の範囲】
【請求項１】
選択された外科手術に用いるためのディスポーザブルな滅菌器具が予め取り付けられた、ディスポーザブルな外科用滅菌ドレープであって、
手術台及び手術台上に配置された患者を覆うための寸法を有し、且つ、内部に形成された切開開口部を有するドレープと、
前記ドレープの下側に予め取り付けられた、患者に熱を供給するパッドと、
前記ドレープの下側に予め取り付けられた、前記切開開口部を取り囲む吸収布と、
前記切開開口部付近で前記ドレープの上側に予め取り付けられた、前記ドレープ内の切開開口部のためのカバーと、
前記ドレープに予め取り付けられた、外科手術を達成するために必要な手術器具及び連結チューブ又はワイヤと、
を含む、ディスポーザブルな外科用滅菌ドレープ。
【請求項２】
前記ドレープが２つの紙層から形成され、上層がプラスチック処理されている、請求項１に記載のディスポーザブルな外科用滅菌ドレープ。
【請求項３】
前記ドレープが矩形の４つの紙部分から形成されたスカートを含む、請求項１に記載のディスポーザブルな外科用滅菌ドレープ。
【請求項４】
前記切開開口部が正方形又は矩形の開口部である、請求項１に記載のディスポーザブルな外科用滅菌ドレープ。
【請求項５】
前記切開開口部が正方形であり、且つ、拡大された正方形又は矩形の開口部を形成するために折り返されることができる上側フラップ、下側フラップ及び側方フラップを有する、請求項１に記載のディスポーザブルな外科用滅菌ドレープ。
【請求項６】
前記切開開口部が矩形であり、且つ、当該開口部の角から延在する４５度のスリットを含み、それにより、前記開口部の側部を折り返すことにより、前記開口部が拡大されることができる、請求項３に記載のディスポーザブルな外科用滅菌ドレープ。
【請求項７】
前記熱供給パッドが、当該パッド内の加熱エア開口部と、当該パッドに加熱エアを供給するためのチューブ連結部と、を含む、請求項１に記載のディスポーザブルな外科用滅菌ドレープ。
【請求項８】
前記熱供給パッドが、患者に隣接した側に接着剤を含み、それにより患者に付着する、請求項１に記載のディスポーザブルな外科用滅菌ドレープ。
【請求項９】
前記拡大可能な切開部の周囲に配置された前記吸収布がタオル地から形成されている、請求項１に記載のディスポーザブルな外科用滅菌ドレープ。
【請求項１０】
前記切開開口部のためのカバーに、細菌を死滅させるためのヨードが含浸されており、前記カバーが透明で、且つ、患者に隣接した側に接着剤を含み、それにより、カバーが、拡大可能な切開開口部、及び患者の露出された皮膚に付着する、請求項１に記載のディスポーザブルな外科用滅菌ドレープ。
【請求項１１】
前記ディスポーザブルな外科用滅菌ドレープ、及び当該ドレープの付属物を収容するための、且つ、前記ドレープ及びドレープの付属物の滅菌性を維持するためのパッケージをさらに含む、請求項１に記載のディスポーザブルな外科用滅菌ドレープ。
【請求項１２】
前記選択された外科手術が、腰椎手術、開腹手術、開胸手術、胸骨正中切開術、肢部手術、泌尿器手術、婦人科手術又は他の手術を含む、請求項１に記載のディスポーザブルな外科用滅菌ドレープ。
【請求項１３】
腰椎外科手術に用いるための、ディスポーザブルな滅菌器具が予め取り付けられたディスポーザブルな外科用滅菌ドレープであって、
手術台及び手術台上に配置された患者を覆うための寸法を有し、且つ、内部に形成されている拡大可能な切開開口部を有するドレープと、
前記ドレープの下側に予め取り付けられた、患者に熱を供給するパッドと、
前記拡大可能な切開開口部を取り囲む、前記ドレープの下側に予め取り付けられた吸収布と、
前記ドレープ内の拡大可能な切開開口部のためのカバーであって、前記切開開口部付近で前記ドレープの上側に予め取り付けられたカバーと、
前記ドレープに予め取り付けられた、腰椎外科手術を行うために必要な手術器具、並びに連結チューブ及びワイヤと、
を含む、ディスポーザブルな外科用滅菌ドレープ。
【請求項１４】
連結チューブを有するセルセーバ吸引器具が前記ドレープに予め取り付けられている、請求項１３に記載のディスポーザブルな外科用滅菌ドレープ。
【請求項１５】
連結チューブを有する第１の吸引器具も前記ドレープに予め取り付けられている、請求項１３に記載のディスポーザブルな外科用滅菌ドレープ。
【請求項１６】
連結チューブを有する第２の吸引器具も前記ドレープに予め取り付けられている、請求項１３に記載のディスポーザブルな外科用滅菌ドレープ。
【請求項１７】
連結ワイヤを有する両極性焼灼器具も前記ドレープに予め取り付けられている、請求項１３に記載のディスポーザブルな外科用滅菌ドレープ。
【請求項１８】
連結ワイヤを有する単極性焼灼器具もドレープに予め取り付けられている、請求項１３に記載のディスポーザブルな外科用滅菌ドレープ。
【請求項１９】
前記外科用ドレープが２つの紙層から形成され、上層がプラスチック処理されている、請求項１３に記載のディスポーザブルな外科用滅菌ドレープ。
【請求項２０】
前記ドレープが、矩形の４つの紙部分から形成されたスカートを含む、請求項１３に記載のディスポーザブルな外科用滅菌ドレープ。
【請求項２１】
前記切開開口部が正方形又は矩形の開口部である、請求項１３に記載のディスポーザブルな外科用滅菌ドレープ。
【請求項２２】
前記切開開口部が正方形であり、且つ、拡大された正方形又は矩形の開口部を形成するために折り返されることができる上側フラップ、下側フラップ及び側方フラップを有する、請求項１３に記載のディスポーザブルな外科用滅菌ドレープ。
【請求項２３】
前記切開開口部が矩形であり、且つ、当該開口部の角から延在する４５度のスリットを含み、それにより、前記開口部の側部を折り返すことにより、前記開口部が拡大されることができる、請求項１３に記載のディスポーザブルな外科用滅菌ドレープ。
【請求項２４】
前記熱供給パッドが、当該パッド内の加熱エア開口部と、当該パッドに加熱エアを供給するためのチューブ連結部と、を含む、請求項１３に記載のディスポーザブルな外科用滅菌ドレープ。
【請求項２５】
前記熱供給パッドが、患者に隣接した側に接着剤を含み、それにより患者に付着する、請求項１３に記載のディスポーザブルな外科用滅菌ドレープ。
【請求項２６】
前記拡大可能な切開部の周囲に配置された前記吸収布がタオル地から形成されている、請求項１３に記載のディスポーザブルな外科用滅菌ドレープ。
【請求項２７】
前記切開開口部のためのカバーに、細菌を死滅させるためのヨードが含浸されており、前記カバーが透明で、且つ、患者に隣接した側に接着剤を含み、それにより、前記カバーが、前記拡大可能な切開開口部、及び患者の露出された皮膚に付着する、請求項１３に記載のディスポーザブルな外科用滅菌ドレープ。
【請求項２８】
前記ディスポーザブルな外科用滅菌ドレープ、及び当該ドレープに予め取り付けられた物品を収容するための、且つ、前記ドレープ及びドレープに予め取り付けられた物品の滅菌性を維持するためのパッケージをさらに含む、請求項１３に記載のディスポーザブルな外科用滅菌ドレープ。
【発明の詳細な説明】
【技術分野】
【０００１】
本発明は、選択された外科手術に用いられるためのディスポーザブルな滅菌器具が取り付けられたディスポーザブルな滅菌ドレープを提供する。
【背景技術】
【０００２】
外科手術中に手術部位周囲の滅菌環境を形成し、且つ維持するために、外科用ドレープが用いられる。外科用ドレープは、非滅菌領域と滅菌領域との間を微生物が通過することを最小限にするバリアを形成し、且つ維持する。ドレープ材料は、有効であるためには、血液、液体及び摩耗に対する耐性がなければならず、且つ、綿ぼこりがでないもの（リントフリー）でなければならない。こうして、外科用ドレープは、血液及び他の体液が、滅菌野、すなわち、切開部、及び切開部周囲の患者の皮膚を汚すことを防止する。
【０００３】
当初、外科用ドレープは、綿又はリネンから形成され、使用されるごとに滅菌処理された。より最近になって、紙又はファブリックから形成されたディスポーザブルな（使い捨ての）ドレープが用いられるようになった。外科用ドレープは、一般に、ドレープ内に形成された、切開開口部（ｉｎｃｉｓｉｏｎ  ｏｐｅｎｉｎｇ）を有し、この開口部は医療分野で開窓（ｆｅｎｅｓｔｒａｔｉｏｎ）として知られ、この開窓を通して外科手術が行われる。
【０００４】
患者が手術室にて麻酔をかけられた後、外科チームは、滅菌ドレープの様々な部品、及び必要な器具を、患者に個々に配置する。すなわち、患者を温めておくために熱を供給する滅菌パッドを患者の上に配置し、次いで、滅菌吸収タオルを患者の手術野周囲に配置する。その後、滅菌ドレープを患者の上に、切開開口部が手術野の上に位置するように配置する。細菌を死滅させるためにヨードを含浸させた、切開開口部のためのカバーは透明であり、片側に接着剤を含み、切開開口部付近にてドレープに取り付けられる。カバーは手術野の上に配置され、それにより、ドレープに接着され、また、手術野内の患者の皮膚に接着される。最後に、外科手術を達成するために必要な、滅菌された様々な手術器具及び連結チューブ又はワイヤを滅菌ドレープ上に同時に配置する。患者に麻酔をかけた後に手術室にて患者に手術の準備をするこの手順は、長い時間を含む。一般に、患者の準備にかかる時間は４５分間にもなることがあり、この間、患者は麻酔がかけられた状態にされる。
【０００５】
従って、滅菌ドレープ部品及び滅菌手術器具を用いた、患者に手術の準備をする手順であって、麻酔をかけられた患者及び外科チームが、手術を行うことができる前に手術室に長時間いることを必要としない手順が必要である。さらに、滅菌ドレープであって、様々な部品がドレープに予め取り付けられ、それにより、部品に精通していない技術者及びその他の者が部品をほとんど又は全く取り扱うことができず、それによりドレープ及び部品の滅菌性が保証される滅菌ドレープが必要である。最後に、滅菌ドレープであって、滅菌された様々な外科手術器具に連結されるチューブ及びワイヤがドレープに、ドレープの滅菌層の間で取り付けられ、それによりチューブ及びワイヤがドレープの下側又は上側から汚染されない滅菌ドレープが必要である。
【発明の開示】
【発明が解決しようとする課題】
【０００６】
本発明は、上記のニーズを満たし、且つ、先行技術の欠点を克服する、選択された外科手術に用いるためのディスポーザブルな滅菌器具が取り付けられた、改良されたディスポーザブルな外科用滅菌ドレープを提供する。
【課題を解決するための手段】
【０００７】
選択された外科手術に用いるためのディスポーザブルな滅菌器具が取り付けられた、本発明のディスポーザブルな外科用滅菌ドレープは、以下の部品から構成されている。ドレープが、手術台及び手術台上に横たえられた患者を覆うための寸法を有し、且つ、ドレープ内に形成された拡大可能な切開開口部を有して提供される。切開開口部を取り囲む吸収布がドレープの下側に予め取り付けられ、患者に熱を供給するパッドもドレープの下側に予め取り付けられており、これにより、熱供給パッドは患者の付近に配置される。ドレープ内の切開開口部のためのカバーが、切開開口部付近にて、ドレープの上側に予め取り付けられている。外科手術を達成するために必要な手術器具及び連結チューブ又はワイヤが、ドレープの上側に予め取り付けられている。
【０００８】
選択された外科手術に用いられるためのディスポーザブルな滅菌器具が取り付けられたディスポーザブルな滅菌ドレープは、ドレープ及びドレープの付属物の滅菌性を維持するパッケージに入れられて提供される。パッケージは手術室にて開封され、その後、特定の外科手術のための取り付けられたディスポーザブルな滅菌器具を含むディスポーザブルな外科用滅菌ドレープが、患者の上に、迅速且つ容易に配置されて、その後、患者が手術を受けるための準備が非常に短い時間で整えられる。
【０００９】
腰部（腰椎）外科手術に用いるためのディスポーザブルな滅菌器具が取り付けられたディスポーザブルな滅菌ドレープは、以下の部品を含む。ドレープが、手術台及び手術台上に横たえられた患者を覆うための寸法を有して提供され、ドレープは、ドレープ内に形成された拡大可能な切開開口部を有する。患者に熱を供給するパッドがドレープの下側に予め取り付けられ、拡大可能な切開開口部を取り囲む吸収布がドレープの下側に予め取り付けられている。ドレープ内の拡大可能な切開開口部のための滅菌カバーが、切開開口部付近にてドレープの上側に予め取り付けられている。最後に、腰椎外科手術を行うのに必要な手術器具及び連結チューブ及びワイヤがドレープの上側に取り付けられている。
【００１０】
本発明の目的、特徴及び利点は、以下の好ましい実施形態の説明を、添付図面を参照しつつ読むことにより、当業者にとって容易に明らかになろう。
【発明を実施するための最良の形態】
【００１１】
選択された外科手術に用いるための、本発明のディスポーザブルな滅菌器具が予め取り付けられたディスポーザブルな滅菌ドレープが図面に示されている。図１は、手術台１０の上面図であり、患者１２が手術台１０の上にうつ伏せに横たわっている状態を示す。手術台１０及び患者１２は、本発明のディスポーザブルな滅菌外科用ドレープ１４により完全に覆われており、ドレープ１４は、拡大可能な四角形の切開用の開口部（切開開口部）１６（開窓とも称する）をドレープ内に有する。図１の拡大可能な切開開口部１６は、患者の背中からの腰部手術のために配置されている。
【００１２】
ディスポーザブルな滅菌ドレープ１４は、好ましくは、貼り合わされた２枚の紙層、すなわち、プラスチック処理された上層２１、及び、４つの矩形の紙部分２５から形成されたスカートが取り付けられた下層２３から形成されている。切開開口部１６は、好ましくは、正方形又は矩形である。図２に示されているように、切開開口部１６は、上部フラップ、底部フラップ及び側部フラップを形成するスリット１５を有する正方形の開口１３であることができ、これらのフラップは、拡大された正方形又は矩形の開口を形成するために折り返されることができる。図３に示されているように、切開開口部１６は、開口１７の角から延在する４５度のスリット１９を有する矩形の開口１７であってもよく、それにより、開口１７は、開口の側部を折り返すことにより拡大されることができる。他の切開開口部の形状も用いられることができる。
【００１３】
図４を参照すると、ディスポーザブルな滅菌器具及び他の部品が予め取り付けられたディスポーザブルな滅菌ドレープ１４が示されている。先に記載したように、ディスポーザブルなドレープ１４は、ドレープ１４内に形成された、拡大可能な切開開口部１６を含む。
【００１４】
患者に熱を与えるパッド２０がドレープ１４の下側に取り付けられており、パッド２０は、加熱エア開口部をパッド２０内に有し、また、加熱エア開口部に加熱エアを供給するためのチューブ連結部２２を有する。外科用ドレープ１４が用いられるとき、患者に熱を供給するパッド２０が、チューブ連結部２２に連結されたチューブ（図示せず）を介して加熱エア源に連結される。当業者に理解されるように、熱供給パッド２０により供給される加熱エアが、外科手術中に患者を温かく維持する。熱供給パッド２０は、患者に隣接した側に接着剤を含み、それにより、外科手術中に患者に付着する。
【００１５】
吸収布１８（好ましくは、複数のタオル地層から形成される）も、ドレープ１４の下側に、拡大可能な切開部１６の周囲に配置されて予め取り付けられる。吸収布１８は、外科手術中に血液及び他の液体を吸収するためのバリアをもたらす。
【００１６】
ドレープ内の切開開口部を覆うためのカバー２４が、ドレープの上側に、切開開口部１６付近にて、開口部１６の片側に沿って予め取り付けられている。先に述べたように、カバー２４には、好ましくは、細菌を死滅させるためにヨードを含浸させてあり、カバー２４は、透明で、カバーの上側に接着剤を含み、これにより、切開開口部１６を覆い、且つ、切開開口部を含むドレープの一部、及び、患者の露出された皮膚に付着する。
【００１７】
実行されるべき特定の外科手術に応じて、手術のためのディスポーザブルな滅菌器具が、ドレープに予め取り付けられる。先に述べたように、ドレープは、外科手術を実行するために必要な器具を含む、ドレープに予め取り付けられる全ての部品と同様に滅菌されている。
【００１８】
図面に示されている、ディスポーザブルな滅菌ドレープ１４を用いる特定の手術は、腰椎後方の外科手術である。腰椎後方手術のための滅菌されたドレープ及び器具が図４に示されている。より詳細には、腰椎後方外科手術を行うのに必要な手術器具及び連結チューブ及びワイヤが、ドレープに予め取り付けられている。すなわち、各チューブ及びワイヤの一部が、ドレープの上層２１と下層２３との間に、使用されていないときに床に落ちることが防止されるように取り付けられている。ドレープに取り付けられた器具２６は、連結チューブ２８を有するセルセーバ吸引器具である。連結チューブ３２を有する第１の吸引器具３０、及び、連結チューブ３６を有する第２の吸引器具３４もドレープ１４に取り付けられている。連結ワイヤ４０を有する両極性焼灼器具３８（レスチップ）（ｌｅｓｓ  ｔｉｐ）、及び、ワイヤ４４を有する単極性焼灼器具４２もドレープ１４に取り付けられている。２つの焼灼器具のための器具ポケット４６も、ドレープ１４の上側に取り付けられている。
【００１９】
当業者に理解されるように、吸引器具のチューブ２８，３２及び３６が、１以上の吸引機械に連結されたさらなるチューブに手動で連結される。焼灼器具３８及び４２に取り付けられたワイヤ４０及び４４が、これらの焼灼器具に電気を供給するさらなるワイヤに手動で連結される。外科手術が完了されたとき、チューブ及びワイヤの連結が外され、外科用ドレープ１４が患者から取り外される。そして、外科用ドレープ、並びに、取り付けられた器具、チューブ及びワイヤが廃棄される。
【００２０】
ここで理解されるように、様々な外科手術を行うための器具が予め取り付けられた、本発明のディスポーザブルな滅菌外科用ドレープは、シールされたパッケージにて提供される。滅菌ドレープが特定の外科手術に必要である場合、適切なパッケージが手術室で開かれ、予め取り付けられた器具を有する滅菌ドレープがパッケージから取り出され、迅速に用いられる。使用後、パッケージと、滅菌ドレープ及びその付属物とが廃棄される。
【００２１】
選択された外科手術に用いるためのディスポーザブルな滅菌器具が取り付けられた、本発明のディスポーザブルな滅菌ドレープは、手術台及び手術台上に配置された患者を覆うための寸法を有し、且つ、切開開口部が内部に形成されたドレープと、ドレープの下側に予め取り付けられた、患者に熱を供給するパッドと、ドレープの下側に予め取り付けられた、切開開口部を取り囲む吸収布と、切開開口部付近にてドレープの上側に予め取り付けられた、ドレープ内の切開開口部のためのカバーと、ドレープの上側に予め取り付けられている、外科手術を達成するために必要な手術器具及び連結チューブ又はワイヤと、を含む。
【００２２】
腰椎外科手術に用いるためのディスポーザブルな滅菌器具が取り付けられた、本発明のディスポーザブルな滅菌ドレープは、手術台及び手術台上に配置された患者を覆うための寸法を有し、且つ、拡大可能な切開開口部が内部に形成されたドレープと、ドレープの下側に取り付けられた、患者に熱を供給するパッドと、拡大可能な切開開口部を取り囲む、ドレープの下側に予め取り付けられた吸収布と、ドレープ内の拡大可能な切開開口部のためのカバーであって、切開開口部付近にてドレープの上側に予め取り付けられたカバーと、ドレープの上側に予め取り付けられている、腰椎外科手術を行うために必要な手術器具、並びに連結チューブ及びワイヤと、を含む。
【００２３】
当業者に理解されるように、様々な変更が、予め取り付けられた器具を有する本発明のディスポーザブルな滅菌外科用ドレープに、特許請求の範囲により定義された本発明の精神及び範囲から逸脱せずに行われ得る。例えば、様々な形状の１以上の切開開口部が、本発明のディスポーザブルな滅菌外科用ドレープに含まれることができ、様々な外科手術（限定はしないが、腰椎手術、開腹手術、開胸手術、胸骨正中切開術、肢部手術、泌尿器手術、婦人科手術又は他の手術を含む）を、このディスポーザブルな外科用ドレープを用いて行うことができる。
【図面の簡単な説明】
【００２４】
【図１】図１は、患者が手術室の手術台に横たえられ、本発明の外科用ドレープが患者の上に配置されている様子を示す図である。
【図２】図２は、図１の外科用ドレープ内に形成された拡大可能な正方形の切開開口部の図である。
【図３】図３は、図１の外科用ドレープ内に形成された拡大可能な矩形の切開開口部の図である。
【図４】図４は、腰部外科手術に必要な様々な部品が予め取り付けられた、本発明の外科用ドレープの上面図である。
【図１】
2008514354.tif 000003
【図２】
2008514354.tif 000004
【図３】
2008514354.tif 000005
【図４】
2008514354.tif 000006
【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
選択された外科手術に用いるためのディスポーザブルな滅菌器具が予め取り付けられた、ディスポーザブルな外科用滅菌ドレープであって、
手術台及び手術台上に配置された患者を覆うための寸法を有し、且つ、内部に形成された切開開口部を有するドレープと、
前記ドレープの下側に予め取り付けられた、患者に熱を供給するパッドと、
前記ドレープの下側に予め取り付けられた、前記切開開口部を取り囲む吸収布と、
前記切開開口部付近で前記ドレープの上側に予め取り付けられた、前記ドレープ内の切開開口部のためのカバーと、
前記ドレープに予め取り付けられた、外科手術を達成するために必要な手術器具及び連結チューブ又はワイヤと、
を含む、ディスポーザブルな外科用滅菌ドレープ。
【請求項２】
前記ドレープが２つの紙層から形成され、上層がプラスチック処理されている、請求項１に記載のディスポーザブルな外科用滅菌ドレープ。
【請求項３】
前記ドレープが矩形の４つの紙部分から形成されたスカートを含む、請求項１に記載のディスポーザブルな外科用滅菌ドレープ。
【請求項４】
前記切開開口部が正方形又は矩形の開口部である、請求項１に記載のディスポーザブルな外科用滅菌ドレープ。
【請求項５】
前記切開開口部が正方形であり、且つ、拡大された正方形又は矩形の開口部を形成するために折り返されることができる上側フラップ、下側フラップ及び側方フラップを有する、請求項１に記載のディスポーザブルな外科用滅菌ドレープ。
【請求項６】
前記切開開口部が矩形であり、且つ、当該開口部の角から延在する４５度のスリットを含み、それにより、前記開口部の側部を折り返すことにより、前記開口部が拡大されることができる、請求項３に記載のディスポーザブルな外科用滅菌ドレープ。
【請求項７】
前記熱供給パッドが、当該パッド内の加熱エア開口部と、当該パッドに加熱エアを供給するためのチューブ連結部と、を含む、請求項１に記載のディスポーザブルな外科用滅菌ドレープ。
【請求項８】
前記熱供給パッドが、患者に隣接した側に接着剤を含み、それにより患者に付着する、請求項１に記載のディスポーザブルな外科用滅菌ドレープ。
【請求項９】
前記拡大可能な切開部の周囲に配置された前記吸収布がタオル地から形成されている、請求項１に記載のディスポーザブルな外科用滅菌ドレープ。
【請求項１０】
前記切開開口部のためのカバーに、細菌を死滅させるためのヨードが含浸されており、前記カバーが透明で、且つ、患者に隣接した側に接着剤を含み、それにより、カバーが、拡大可能な切開開口部、及び患者の露出された皮膚に付着する、請求項１に記載のディスポーザブルな外科用滅菌ドレープ。
【請求項１１】
前記ディスポーザブルな外科用滅菌ドレープ、及び当該ドレープの付属物を収容するための、且つ、前記ドレープ及びドレープの付属物の滅菌性を維持するためのパッケージをさらに含む、請求項１に記載のディスポーザブルな外科用滅菌ドレープ。
【請求項１２】
前記選択された外科手術が、腰椎手術、開腹手術、開胸手術、胸骨正中切開術、肢部手術、泌尿器手術、婦人科手術又は他の手術を含む、請求項１に記載のディスポーザブルな外科用滅菌ドレープ。
【請求項１３】
腰椎外科手術に用いるための、ディスポーザブルな滅菌器具が予め取り付けられたディスポーザブルな外科用滅菌ドレープであって、
手術台及び手術台上に配置された患者を覆うための寸法を有し、且つ、内部に形成されている拡大可能な切開開口部を有するドレープと、
前記ドレープの下側に予め取り付けられた、患者に熱を供給するパッドと、
前記拡大可能な切開開口部を取り囲む、前記ドレープの下側に予め取り付けられた吸収布と、
前記ドレープ内の拡大可能な切開開口部のためのカバーであって、前記切開開口部付近で前記ドレープの上側に予め取り付けられたカバーと、
前記ドレープに予め取り付けられた、腰椎外科手術を行うために必要な手術器具、並びに連結チューブ及びワイヤと、
を含む、ディスポーザブルな外科用滅菌ドレープ。
【請求項１４】
連結チューブを有するセルセーバ吸引器具が前記ドレープに予め取り付けられている、請求項１３に記載のディスポーザブルな外科用滅菌ドレープ。
【請求項１５】
連結チューブを有する第１の吸引器具も前記ドレープに予め取り付けられている、請求項１３に記載のディスポーザブルな外科用滅菌ドレープ。
【請求項１６】
連結チューブを有する第２の吸引器具も前記ドレープに予め取り付けられている、請求項１３に記載のディスポーザブルな外科用滅菌ドレープ。
【請求項１７】
連結ワイヤを有する両極性焼灼器具も前記ドレープに予め取り付けられている、請求項１３に記載のディスポーザブルな外科用滅菌ドレープ。
【請求項１８】
連結ワイヤを有する単極性焼灼器具もドレープに予め取り付けられている、請求項１３に記載のディスポーザブルな外科用滅菌ドレープ。
【請求項１９】
前記外科用ドレープが２つの紙層から形成され、上層がプラスチック処理されている、請求項１３に記載のディスポーザブルな外科用滅菌ドレープ。
【請求項２０】
前記ドレープが、矩形の４つの紙部分から形成されたスカートを含む、請求項１３に記載のディスポーザブルな外科用滅菌ドレープ。
【請求項２１】
前記切開開口部が正方形又は矩形の開口部である、請求項１３に記載のディスポーザブルな外科用滅菌ドレープ。
【請求項２２】
前記切開開口部が正方形であり、且つ、拡大された正方形又は矩形の開口部を形成するために折り返されることができる上側フラップ、下側フラップ及び側方フラップを有する、請求項１３に記載のディスポーザブルな外科用滅菌ドレープ。
【請求項２３】
前記切開開口部が矩形であり、且つ、当該開口部の角から延在する４５度のスリットを含み、それにより、前記開口部の側部を折り返すことにより、前記開口部が拡大されることができる、請求項１３に記載のディスポーザブルな外科用滅菌ドレープ。
【請求項２４】
前記熱供給パッドが、当該パッド内の加熱エア開口部と、当該パッドに加熱エアを供給するためのチューブ連結部と、を含む、請求項１３に記載のディスポーザブルな外科用滅菌ドレープ。
【請求項２５】
前記熱供給パッドが、患者に隣接した側に接着剤を含み、それにより患者に付着する、請求項１３に記載のディスポーザブルな外科用滅菌ドレープ。
【請求項２６】
前記拡大可能な切開部の周囲に配置された前記吸収布がタオル地から形成されている、請求項１３に記載のディスポーザブルな外科用滅菌ドレープ。
【請求項２７】
前記切開開口部のためのカバーに、細菌を死滅させるためのヨードが含浸されており、前記カバーが透明で、且つ、患者に隣接した側に接着剤を含み、それにより、前記カバーが、前記拡大可能な切開開口部、及び患者の露出された皮膚に付着する、請求項１３に記載のディスポーザブルな外科用滅菌ドレープ。
【請求項２８】
前記ディスポーザブルな外科用滅菌ドレープ、及び当該ドレープに予め取り付けられた物品を収容するための、且つ、前記ドレープ及びドレープに予め取り付けられた物品の滅菌性を維持するためのパッケージをさらに含む、請求項１３に記載のディスポーザブルな外科用滅菌ドレープ。
【請求項２９】
選択された外科手術に用いるためのディスポーザブルな滅菌器具が予め取り付けられた、ディスポーザブルな外科用滅菌ドレープであって、
手術台及び手術台上に配置された患者を覆うための寸法を有し、且つ、内部に形成された切開開口部を有するドレープと、
前記ドレープに予め取り付けられた、外科手術に用いる１つ以上の器具及び１つ以上の連結チューブ又はワイヤと、
を含む、ディスポーザブルな外科用滅菌ドレープ。
【請求項３０】
前記ドレープの下側に予め取り付けられた、前記切開開口部を取り囲む吸収布を更に含む、請求項２９に記載のディスポーザブルな外科用滅菌ドレープ。
【請求項３１】
前記拡大可能な切開部の周囲に配置された前記吸収布がタオル地から形成されている、請求項３０に記載のディスポーザブルな外科用滅菌ドレープ。
【請求項３２】
前記切開開口部付近で前記ドレープの上側に予め取り付けられた、前記ドレープ内の切開開口部のためのカバーを更に含む、請求項２９に記載のディスポーザブルな外科用滅菌ドレープ。
【請求項３３】
前記切開開口部のためのカバーに、細菌を死滅させるためのヨードが含浸されており、前記カバーが透明で、且つ、患者に隣接した側に接着剤を含み、それにより、カバーが、拡大可能な切開開口部、及び患者の露出された皮膚に付着する、請求項３２に記載のディスポーザブルな外科用滅菌ドレープ。
【請求項３４】
前記ドレープが２つの紙層から形成され、上層がプラスチック処理されている、請求項２９に記載のディスポーザブルな外科用滅菌ドレープ。
【請求項３５】
前記ドレープが矩形の４つの紙部分から形成されたスカートを含む、請求項２９に記載のディスポーザブルな外科用滅菌ドレープ。
【請求項３６】
前記切開開口部が正方形又は矩形の開口部である、請求項２９に記載のディスポーザブルな外科用滅菌ドレープ。
【請求項３７】
前記切開開口部が正方形であり、且つ、拡大された正方形又は矩形の開口部を形成するために折り返されることができる上側フラップ、下側フラップ及び側方フラップを有する、請求項２９に記載のディスポーザブルな外科用滅菌ドレープ。
【請求項３８】
前記切開開口部が矩形であり、且つ、当該開口部の角から延在する４５度のスリットを含み、それにより、前記開口部の側部を折り返すことにより、前記開口部が拡大されることができる、請求項２９に記載のディスポーザブルな外科用滅菌ドレープ。
【請求項３９】
前記ドレープの下側に予め取り付けられた、患者に熱を供給するパッドを更に含む、請求項２９に記載のディスポーザブルな外科用滅菌ドレープ。
【請求項４０】
前記熱供給パッドが、当該パッド内の加熱エア開口部と、当該パッドに加熱エアを供給するためのチューブ連結部と、を含む、請求項３９に記載のディスポーザブルな外科用滅菌ドレープ。
【請求項４１】
前記熱供給パッドが、患者に隣接した側に接着剤を含み、それにより患者に付着する、請求項３９に記載のディスポーザブルな外科用滅菌ドレープ。
【請求項４２】
前記ディスポーザブルな外科用滅菌ドレープ、及び当該ドレープに取り付けられた物品を収容するための、且つ、前記ドレープ及びドレープに取り付けられた物品の滅菌性を維持するためのパッケージをさらに含む、請求項２９に記載のディスポーザブルな外科用滅菌ドレープ。
【国際調査報告】
2008514354.tif 000007